(57)【要約】【課題】煙感知器の点検を適切かつ容易に行えるようにする。【解決手段】煙感知器点検作動手段によりエレベータ昇降路２の頂部近辺に設けられた煙感知器１の作動点検を行うための煙感知器点検モードに移行させ、煙感知器点検モードへの移行による乗りかご１の最上停止階までの走行および停止に応じて、かご室天井に設けられた煙感知器点検用点検口１３を開くとともに、乗りかご１上に設けられた照明装置１４により煙感知器８を照明し、煙感知器点検モードの解除に応じて、煙感知器点検用点検口１３を閉じるとともに、照明装置１４による煙感知器８への照明を消す。【選択図】図１
2005212931.tif 000002
【特許請求の範囲】
【請求項１】
煙感知器点検作動手段によりエレベータ昇降路の頂部近辺に設けられた煙感知器の作動点検を行うための煙感知器点検モードにエレベータ制御装置を移行させ、前記煙感知器の点検に必要な動作を開始させることを特徴とするエレベータ煙感知器点検装置。
【請求項２】
前記煙感知器点検作動手段は、かご室に設けられた盤面装置に装備される煙感知器点検スイッチによって構成されることを特徴とする請求項１に記載のエレベータ煙感知器点検装置。
【請求項３】
前記煙感知器点検作動手段によるエレベータ制御装置の煙感知器点検モードへの移行により、乗りかごを最上停止階まで走行させることを特徴とする請求項１または請求項２に記載のエレベータ煙感知器点検装置。
【請求項４】
前記エレベータ制御装置の煙感知器点検モードへの移行による乗りかごの最上停止階までの走行および停止に応じて、かご室天井に設けられた開閉自在の煙感知器点検用点検口を開くとともに、前記乗りかご上に設けられた照明装置により煙感知器に向かって照射することを特徴とする請求項３に記載のエレベータ煙感知器点検装置。
【請求項５】
前記煙感知器点検作動手段によるエレベータ制御装置の煙感知器点検モードの解除に応じて、かご室天井に設けられた開閉自在の煙感知器点検用点検口を閉じるとともに、前記乗りかご上に設けられた照明装置による煙感知器への照射を終了することを特徴とする請求項４に記載のエレベータ煙感知器点検装置。
【請求項６】
前記エレベータ制御装置の煙感知器点検モードへの移行および前記煙感知器の作動に応じて、かご室に設置された盤面装置および前記かご室から離れた位置の係員監視盤に信号伝送されることを特徴とする請求項１から請求項５までのいずれかに記載のエレベータ煙感知器点検装置。
【請求項７】
煙感知器点検作動手段によりエレベータ昇降路の頂部近辺に設けた煙感知器の作動点検を行うための煙感知器点検モードにエレベータ制御装置を移行させ、前記エレベータ制御装置の煙感知器点検モードへの移行による乗りかごの最上停止階までの走行および停止に応じて、かご室天井に設けられた開閉自在の煙感知器点検用点検口を開くとともに、前記乗りかご上に設けられた照明装置により煙感知器に向かって照射するエレベータ煙感知器点検装置を用いて煙感知器を点検するにあたり、最上停止階に停止した前記乗りかご内から、前記開かれた煙感知器点検用点検口を介して、前記乗りかご上に設けた照明装置により照射される部分に配設された昇降路内に設置された煙感知器を点検器具によって点検することを特徴とするエレベータ煙感知器点検方法。
【発明の詳細な説明】
【技術分野】
【０００１】
この発明は、エレベータ煙感知器点検装置および煙感知器点検方法に関するものである。
【背景技術】
【０００２】
機械室レスエレベータは、消防法により昇降路頂部近辺に煙感知器の取付けが義務付けられている。
従来の技術では、煙感知器の点検は、昇降路最上部に点検者以外の一般の人が出入できない煙感知器点検のための作業室を設置し、その作業室の昇降路壁面に甲種防火戸相当の蓋と鍵を設けた煙感知器点検専用の点検口を設けて、そこから点検していた。
しかし、上記従来の点検手法では、煙感知器点検のための専用の作業室、および昇降路壁面に上記点検専用の点検口を設ける必要があることから、余分な空間を必要とし、施工に多大な費用を要した。
【０００３】
そこで、最上停止階で乗りかごを停止させ、乗りかごから届く範囲の昇降路内に設置される煙感知器に対して、かご室天井に設けた点検口から上記煙感知器の点検を行うようにすることが提案された（例えば、特許文献１参照）。
よって、煙感知器点検のための専用の作業室や点検口を設ける必要がなく、また、点検作業を容易にしたものである。
【０００４】
しかし、前記特許文献１の技術では、煙感知器点検時において次に示すような問題点があった。
（１）エレベータの運転制御において「煙感知器点検モード」の選択により煙感知器点検を容易にする等の対策が考慮されていない。
（２）かご室天井の点検口の開閉を作業者が行う。
（３）昇降路内は一般的に暗く、昇降路内に設けた煙感知器が見えにくい。
【０００５】
【特許文献１】特開２０００−５３３４３号公報
【発明の開示】
【発明が解決しようとする課題】
【０００６】
この発明は、煙感知器の点検を適切かつ容易に行えるエレベータ煙感知器点検装置および煙感知器点検方法を得ようとするものである。
【課題を解決するための手段】
【０００７】
この発明では、煙感知器点検作動手段によりエレベータ昇降路の頂部近辺に設けた煙感知器の作動点検を行うための煙感知器点検モードにエレベータ制御装置を移行させ、前記煙感知器の点検に必要な動作を開始させるようにしたものである。
【発明の効果】
【０００８】
この発明によれば、煙感知器の点検を適切かつ容易に行えるエレベータ煙感知器点検装置および煙感知器点検方法を得ることができる。
【発明を実施するための最良の形態】
【０００９】
実施の形態１．
この発明による実施の形態を図１から図８までについて説明する。図１は、この発明による実施の形態における乗りかごからの点検作業の状態を示す側面図である。図２は、この発明による実施の形態におけるエレベータの制御装置を示すブロック図である。図３は、この発明による実施の形態における乗りかご内の斜視図である。図４は、この発明による実施の形態における乗りかごの操作盤の引戸内の煙感知器点検切替えスイッチおよび作動表示ランプを示す正面図である。図５は、この発明による実施の形態における係員監視盤を示す正面図で、煙感知器点検に関連する箇所のみ図示したものである。図６は、図５の煙感知器点検に関連する箇所（Ａ部分）の拡大図である。図７は、この発明による実施の形態における煙感知器点検作業開始から煙感知器点検までを示すフロー図である。図８は、この発明による実施の形態における煙感知器点検完了からエレベータの通常運転に切替わるまでのフロー図である。
【００１０】
図２に示すエレベータ制御装置ＥＣにおいて、エレベータの通常運転状態では、運転制御部Ｃ１に印加される運転指令により、運転制御部Ｃ１は制御切換部Ｃ２による切換動作なしに通常運転制御信号をエレベータ制御回路に供給して、エレベータは乗客輸送等の通常運転動作を行う。
【００１１】
図１は、エレベータ制御装置ＥＣが煙感知器点検モードに移行し、乗りかご１が煙感知器点検のため停止最上階に停止している状態を示している。エレベータ制御装置ＥＣの煙感知器点検モードへの移行ならびに乗りかご１の煙感知器点検のための停止最上階への走行および停止については、後に詳述する。
乗りかご１は昇降路２に配設されている。乗りかご１には救出口３が設けられ、乗り場の戸４に対向するかごの戸５が設けられている。
また、乗りかご１の天井には昇降路２の頂部近辺に設けられた煙感知器８の点検用として点検口１２が設けられ、乗りかご１の上部には照明装置１４が設けられている。
そして、乗り場には煙感知器点検時の通常運転休止に備えて乗り場休止表示灯１５が設けられる。
【００１２】
乗りかご１には、図３および図４に示すように、乗りかご１の走行制御を行うためのかご操作盤１６の引戸内部１６ａに煙感知器点検切換スイッチ１７および煙感知器点検作動表示灯１８が設けられている。
【００１３】
乗りかご１および乗り場を含むエレベータ設備から離れた場所に設置されている係員監視盤１９には、図５および図６に示すように、煙感知器点検表示灯２０および煙感知器作動表示灯２１が設けられている。
【００１４】
この発明による実施の形態において、煙感知器点検作業は、図７および図８に示すように、以下の手順で行われる。
（１）点検作業者１１が乗りかご１に乗り込み、かご操作盤１６の引戸内１６ａに設けられた煙感知器点検切替えスイッチ１７を「入」とする（ステップＳ１）。
（２）エレベータが煙感知器点検モードに切替わる（ステップＳ２）。煙感知器点検モードに切替わったことが、係員監視盤１９に信号伝送されて、点検表示灯２０が点灯する（ステップＳ３）。
（３）乗りかご１が最上階に直行する（ステップＳ４）。
（４）乗りかご１が最上階に到着したら、かご天井の点検口１２の蓋１３が、例えば電動モータにより自動で開く（ステップＳ５）。
（５）昇降路内に設けた煙感知器８に向けて照射されるかご天井に設けられた照明装置のランプ１４が点灯する。かご室１から昇降路内の煙感知器８の位置が容易に視認できる（ステップＳ６）。
（６）点検作業者１１は、点検棒９の先端に発煙体１０を取付け、最上階に停止している乗りかご１から点検口１２を通して点検棒９の先端に取付けた発煙体１０を点検口１２を通して煙感知器８に近づけ、煙感知器８の作動確認を行う（ステップＳ７）。
（７）煙感知器８が正常に作動するかどうかが判別され（ステップＳ８）、煙感知器８が正常に作動する場合は、建物内のブザーが鳴動するとともに、かご操作盤１６の引戸内１６ａに設けた表示ランプ１８が点滅して煙感知器８が正常に作動することを視認できる。同時に、係員監視盤１９に信号伝送されて、作動表示灯２１が点滅する（ステップＳ９）。
煙感知器８が正常に作動しない場合は、建物内のブザーは鳴動せず、かご操作盤１６の引戸内１６ａに設けた表示ランプ１８は点滅しない。また、係員監視盤１９に信号伝送されないので、作動表示灯２１の点滅も行われない（ステップＳ１０）。
そこで、作動不良要因の調査を行う（ステップＳ１１）。
（８）点検作業が完了したら、かご操作盤１６の引戸内１６ａに設けた煙感知器点検切替えスイッチ１７を「切」とする。煙感知器点検モードが解除された（通常運転となった）ことが、係員監視盤１９に信号伝送される（ステップＳ１２）。
（９）かご天井の点検口１２の蓋１３が、例えば電動モータにより自動で閉じる（ステップＳ１３）。
（１０）かご天井に設けられた照明装置のランプ１４が消灯する（ステップＳ１４）。
（１１）係員監視盤１９に煙感知器点検モードが解除されたことが信号伝送されて、点検表示灯２０が消灯する（ステップＳ１５）。
（１２）エレベータは通常運転となる（ステップＳ１６）。
【００１５】
この発明による実施の形態１によれば、かご操作盤１６等に設けられた煙感知器点検スイッチ１７からなる煙感知器点検作動手段によりエレベータ昇降路２の頂部近辺に設けた煙感知器８の作動点検を行うための煙感知器点検モードにエレベータ制御装置ＥＣを移行させ、前記煙感知器８の点検に必要な動作を開始させるようにしたので、煙感知器点検作動手段によるエレベータ制御装置の煙感知器点検モードへの移行により、煙感知器の点検を適切かつ容易に行えるエレベータ煙感知器点検装置を得ることができる。
【００１６】
また、この発明による実施の形態１によれば、前項の構成において、前記煙感知器点検作動手段は、かご室１に設けられたかご操作盤１６等の盤面装置に装備される煙感知器点検スイッチ１７によって構成されるようにしたので、かご室に設けられた盤面装置に装備される煙感知器点検スイッチで構成された煙感知器点検作動手段によるエレベータ制御装置の煙感知器点検モードへの移行により、煙感知器の点検を適切かつ容易に行えるエレベータ煙感知器点検装置を得ることができる。
【００１７】
さらに、この発明による実施の形態１によれば、前項および前々項の構成において、前記かご操作盤１６等に設けられた煙感知器点検スイッチ１７からなる煙感知器点検作動手段によるエレベータ制御装置ＥＣの煙感知器点検モードへの移行により、乗りかご１を最上停止階まで走行させるようにしたので、エレベータ制御装置の煙感知器点検モードへの移行によって乗りかごを最上停止階まで走行させるようにすることより、煙感知器の点検を適切かつ容易に行えるエレベータ煙感知器点検装置を得ることができる。
【００１８】
そして、この発明による実施の形態１によれば、前項の構成において、前記エレベータ制御装置ＥＣの煙感知器点検モードへの移行による乗りかご１の最上停止階までの走行および停止に応じて、かご室天井に設けられた開閉自在の点検口蓋１３が設けられた煙感知器点検用点検口１２を開くとともに、前記乗りかご１上に設けられた照明ランプを有する照明装置１４により煙感知器８に向かって照明ランプの光を照射するようにしたので、煙感知器点検用点検口の自動開放および煙感知器の自動照明により、照射煙感知器の点検を適切かつ容易に行えるエレベータ煙感知器点検装置を得ることができる。
【００１９】
さらにまた、この発明による実施の形態１によれば、前項の構成において、前記かご操作盤１６等に設けられた煙感知器点検スイッチ１７からなる煙感知器点検作動手段によるエレベータ制御装置ＥＣの煙感知器点検モードの解除に応じて、かご室天井に設けられた開閉自在の煙感知器点検用点検口１２の点検口蓋１３を閉じるとともに、前記乗りかご１上に設けられた照明ランプを有する照明装置１４による照明ランプの光の煙感知器への照射を終了するようにしたので、煙感知器点検用点検口の自動開放および煙感知器の自動照明ならびに煙感知器点検用点検口の自動開放および煙感知器照明の自動終了により、煙感知器の点検を適切かつ容易に行えるエレベータ煙感知器点検装置を得ることができる。
【００２０】
そしてまた、この発明による実施の形態１によれば、前５項のいずれかの構成において、前記エレベータ制御装置ＥＣの煙感知器点検モードへの移行および前記煙感知器８の作動に応じて、かご室１に設置された操作盤１６等の盤面装置および前記かご室１から離れた位置の係員監視盤に信号伝送されるようにしたので、エレベータ制御装置の煙感知器点検モードへの移行および前記煙感知器の作動を的確に報知することにより、煙感知器の点検を適切かつ容易に行えるエレベータ煙感知器点検装置を得ることができる。
【００２１】
さらに、かご操作盤１６等に設けられた煙感知器点検スイッチ１７からなる煙感知器点検作動手段によりエレベータ昇降路２の頂部近辺に設けた煙感知器８の作動点検を行うための煙感知器点検モードにエレベータ制御装置ＥＣを移行させ、前記エレベータ制御装置ＥＣの煙感知器点検モードへの移行による乗りかご１の最上停止階までの走行および停止に応じて、かご室天井に設けられた開閉自在の点検口蓋１３を有する煙感知器点検用点検口１２を開くとともに、前記乗りかご１上に設けられた照明ランプを有する照明装置１４により煙感知器８に向かって照明ランプの光を照射するエレベータ煙感知器点検装置を用いて煙感知器８を点検するにあたり、最上停止階に停止した前記乗りかご１内から、前記点検口１３が開かれた煙感知器点検用点検口１２を介して、前記乗りかご１上に設けた照明ランプを有する照明装置１４により照明ランプの光が照射される部分に配設された昇降路２内に設置された煙感知器８を点検作業員１１が点検器具９によって点検するようにしたので、最上停止階に停止した乗りかご内から、開かれた煙感知器点検用点検口を介して、乗りかご上に設けた照明装置により照射される部分に配設された昇降路内に設置された煙感知器を点検器具によって点検することにより、煙感知器の点検を適切かつ容易に行えるエレベータ煙感知器点検方法を得ることができる。
【図面の簡単な説明】
【００２２】
【図１】この発明による実施の形態における乗りかごからの点検作業の状態を示す側面図である。
【図２】この発明による実施の形態におけるエレベータの制御装置を示すブロック図である。
【図３】この発明による実施の形態における乗りかご内の斜視図である。
【図４】この発明による実施の形態における乗りかごの操作盤の引戸内の煙感知器点検切替えスイッチおよび作動表示ランプを示す正面図である。
【図５】この発明による実施の形態における係員監視盤を示す正面図で、煙感知器点検に関連する箇所のみ図示したものである。
【図６】図５の煙感知器点検に関連する箇所の拡大図である。
【図７】この発明による実施の形態における煙感知器点検作業開始から煙感知器点検までを示すフロー図である。
【図８】この発明による実施の形態における煙感知器点検完了からエレベータの通常運転に切替わるまでのフロー図である。
【符号の説明】
【００２３】
１  乗りかご、２  昇降路、３  救出口、４  乗場の戸、５  かごの戸、８  煙感知器、９  点検棒、１０  発煙体、１１  点検作業者、１２  点検口、１３  点検口蓋、１４  照明装置、１５  乗場休止表示灯、１６  かご操作盤、１７  切換スイッチ、１８  作動表示灯、１９  係員監視盤、２０  点検表示灯、２１  作動表示灯。
【図１】
2005212931.tif 000003
【図２】
2005212931.tif 000004
【図３】
2005212931.tif 000005
【図４】
2005212931.tif 000006
【図５】
2005212931.tif 000007
【図６】
2005212931.tif 000008
【図７】
2005212931.tif 000009
【図８】
2005212931.tif 000010